(57)【要約】【課題】  開口部を全開できる窓装置を簡単な構成で防火構造にできる。【解決手段】  外壁１の屋外側に外壁１の開口部２の上縁部及び下縁部に沿って上下レール枠３、４を設ける。上下レール枠３、４の端部をそれぞれ開口部２の側端部より離れる方向に外壁１に沿って連出させる。サッシ走行レール５にそれぞれサッシ枠１０にガラス板のような透光板１１を取付けたサッシ引き戸１２をそれぞれ走行自在に取付ける。各サッシ引き戸１２を開口部２と対向するように引き出して複数のサッシ引き戸１２により開口部２を閉じ且つ各サッシ引き戸１２を戸袋部９に移動させた状態で開口部２を全開させるように構成する。外壁１の上記開口部２及び戸袋部９に対向する上下レール枠３、４と左右の縦枠６、７とで囲まれた部分をサッシ引き戸１２よりも屋外側において遮蔽自在とする防火シャッタ装置１３を設ける。【選択図】        図１
2006336362.tif 000002
【特許請求の範囲】
【請求項１】
建物の外壁の屋外側に外壁の開口部の上縁部及び下縁部に沿って上下レール枠を設けると共に、上下レール枠の端部をそれぞれ開口部の側端部より離れる方向に外壁に沿って連出させ、左右の縦枠の上下両端部を上下レール枠の両端部に連結し、上下レール枠にそれぞれ複数のサッシ走行レールを上下レール枠の長手方向に亘って設け、開口部の側端部より離れる方向に外壁に沿って連出した各サッシ走行レールの連出部分をそれぞれサッシ収納用レールとしてこのサッシ収納用レールを設けた部分を戸袋部とし、各サッシ走行レールにそれぞれサッシ枠にガラス板のような透光板を取付けたサッシ引き戸をそれぞれ走行自在に取付け、各サッシ引き戸を開口部と対向するように引き出して複数のサッシ引き戸により開口部を閉じ且つ各サッシ引き戸を戸袋部に移動させた状態で開口部を全開させるように構成し、建物の外壁の上記開口部及び戸袋部に対向する上下レール枠と左右の縦枠とで囲まれた部分をサッシ引き戸よりも屋外側において遮蔽自在とする防火シャッタ装置を設けて成ることを特徴とする防火シャッタ付き窓装置。
【請求項２】
建物の外壁の屋外側に外壁の開口部の上縁部及び下縁部に沿って上下レール枠を設けると共に、上下レール枠の端部をそれぞれ開口部の側端部より離れる方向に外壁に沿って連出させ、左右の縦枠の上下両端部を上下レール枠の両端部に連結し、上下レール枠にそれぞれ複数のサッシ走行レールを上下レール枠の長手方向に亘って設け、開口部の側端部より離れる方向に外壁に沿って連出した各サッシ走行レールの連出部分をそれぞれサッシ収納用レールとしてこのサッシ収納用レールを設けた部分を戸袋部とし、各サッシ走行レールにそれぞれサッシ枠にガラス板のような透光板を取付けたサッシ引き戸をそれぞれ走行自在に取付け、各サッシ引き戸を開口部と対向するように引き出して複数のサッシ引き戸により開口部を閉じ且つ各サッシ引き戸を戸袋部に移動させた状態で開口部を全開させるように構成した全開口サッシ引き戸の屋外側に設置される防火シャッタ装置であって、該防火シャッタ装置は、巻き取り自在なシャッタと、上レール枠と略同じ長さであって上レール枠の直上において外壁に固着されるシャッタ収納ボックスと、シャッタの左右両端部を昇降案内し左右の縦枠の近傍に固着される左右の縦レール部と、下レール枠の近傍に固着される下枠部とで構成され、建物の外壁の上記開口部及び戸袋部をサッシ引き戸よりも屋外側において遮蔽自在とすることを特徴とする防火シャッタ装置。
【発明の詳細な説明】
【技術分野】
【０００１】
本発明は、防火シャッタ付き窓装置及び防火シャッタ付き窓装置に用いられる防火シャッタ装置に関するものである。
【背景技術】
【０００２】
従来の窓装置は、建物の外壁の開口部に開口部と同じ大きさの窓枠を取付け、この窓枠の上下の枠部に複数列のサッシ走行レールを設け、各サッシ走行レールにそれぞれサッシ枠にガラス板のような透光板を取付けたサッシ引き戸をそれぞれ走行自在に取付け、複数のサッシ引き戸同士を屋内外方向に重ねることで開口部の一部を開き、サッシ引き戸の端部同士を屋内外方向に重ねるように重複させることで複数のサッシ引き戸により開口部を閉じるようにしている。
【０００３】
上記のような従来例にあっては、開口部を開とした状態でも開口部の一部に複数のサッシ引き戸が屋内外方向に重なった状態で残り、開口部の開口量が少なくてサッシ引き戸を開いて開口部を開いた状態における室内における開放感が乏しく、更に通気量も少なく、また、室内から屋外を見た場合の視野も開口部の一部に残っている屋内外方向に重なった複数のサッシ引き戸が邪魔になって狭くなり、更に、開口部の開口量が少ないので大きな荷物の出し入れに当たっても、サッシ引き戸が邪魔になるという問題があった。
【０００４】
そこで、開口部を開閉するための複数のサッシ引き戸を設けた窓装置において、複数のサッシ引き戸を全開にした場合に開口部を全開にできるようにした窓装置が特許文献１により提案されている。
【０００５】
この特許文献１に示された従来例にあっては、建物の外壁の屋外側に外壁の開口部の上縁部及び下縁部に沿って複数のサッシ走行レールを有する上下レール枠を設け、上下レール枠の端部をそれぞれ開口部の側端部より離れる方向に外壁に沿って連出させ、各サッシ走行レールの端部の開口部の側端部より離れる方向に外壁に沿って連出させた部分を収納用レールとして収納用レールを設けた部分を戸袋部とし、各サッシ走行レールにそれぞれサッシ枠にガラス板のような透光板を取付けたサッシ引き戸をそれぞれ走行自在に取付けてある。そして、各サッシ引き戸を開口部と対向するように引き出すと共に隣接するサッシ引き戸の端部同士を重複させた状態で複数のサッシ引き戸により開口部を閉じ且つ各サッシ引き戸を収納用レールに移動させた状態で開口部を全開させるように構成してある。
【０００６】
また、この従来例にあっては、走行レールよりも屋外側の開口部に対向した部分を遮蔽自在とするシャッタ装置を設けてあり、複数のサッシ引き戸により開口部を閉じた状態で、最も手前側に位置する透光引き戸の収納用レール側の縦枠と上記シャッタ装置の縦レール部との間を遮蔽自在とする遮光部材を設けてある。
【０００７】
このような構成の従来例は開口部を全開することができるので、室内から屋外を見た場合の視野が広くなって開放感があり、通気量を多く、また、サッシ引き戸に邪魔されることなく開口部から人が出入したり、物を出し入れしたりすることができる。
【０００８】
しかしながら、この従来例にあっては、透光引き戸を戸袋部側に移動すると透光引き戸により遮光部材をばねに抗して開くように回動し、透光引き戸を開口部と対向するように移動して開口部を閉じるとばね力により最も手前側に位置する透光引き戸の収納用レール側の縦枠と上記シャッタ装置の縦レール部との間を遮光するようになっているので、透光引き戸の開閉の際に、透光引き戸と遮光部材が摺れ、摺れ音を発生するだけでなく、遮光部材、透光引き戸の損傷が生じ、また、この回動自在な遮光部材では透光引き戸の収納用レール側の縦枠と上記シャッタ装置の縦レール部との間の隙間から光りが差し込まないように遮光はできるが、防火性能はなく、更に、外壁に設けた開口部の縦枠部と透光引き戸との間の隙間を覆うものはなく、この部分は防火構造となっておらず、このため、開口部と対向する部分を屋外側において遮蔽自在にシャッタを設けたといえども、窓装置全体としては防火構造でなく、結局上記従来例のシャッタ装置は遮光と、防犯機能しかなかった。したがって、開口部を全開することができる窓装置においは従来防火構造となったものは提供されていないのが現状である。
【特許文献１】特開２００２−９７８４９号公報
【発明の開示】
【発明が解決しようとする課題】
【０００９】
本発明は上記の従来の問題点に鑑みて発明したものであって、開口部を全開することができる窓装置において、簡単な構成で防火構造にできる防火シャッタ付き窓装置及び防火シャッタ付き窓装置に用いられる防火シャッタ装置を提供することを課題とするものである。
【課題を解決するための手段】
【００１０】
上記課題を解決するために本発明に係る防火シャッタ付き窓装置は、建物の外壁１の屋外側に外壁１の開口部２の上縁部及び下縁部に沿って上下レール枠３、４を設けると共に、上下レール枠３、４の端部をそれぞれ開口部２の側端部より離れる方向に外壁１に沿って連出させ、左右の縦枠６、７の上下両端部を上下レール枠３、４の両端部に連結し、上下レール枠３、４にそれぞれ複数のサッシ走行レール５を上下レール枠３、４の長手方向に亘って設け、開口部２の側端部より離れる方向に外壁１に沿って連出した各サッシ走行レール５の連出部分をそれぞれサッシ収納用レール８としてこのサッシ収納用レール８を設けた部分を戸袋部９とし、各サッシ走行レール５にそれぞれサッシ枠１０にガラス板のような透光板１１を取付けたサッシ引き戸１２をそれぞれ走行自在に取付け、各サッシ引き戸１２を開口部２と対向するように引き出して複数のサッシ引き戸１２により開口部２を閉じ且つ各サッシ引き戸１２を戸袋部９に移動させた状態で開口部２を全開させるように構成し、建物の外壁１の上記開口部２及び戸袋部９に対向する上下レール枠３、４と左右の縦枠６、７とで囲まれた部分をサッシ引き戸１２よりも屋外側において遮蔽自在とする防火シャッタ装置１３を設けて成ることを特徴とするものである。
【００１１】
このような構成とすることで、防火シャッタ装置１３のシャッタ１４を開き、複数のサッシ引き戸１２を閉じて戸袋部９の各サッシ収納用レール８に移動させることで、開口部２全体を全開することができ、また、戸袋部９の各サッシ収納用レール８からそれぞれサッシ引き戸１２を引き出して複数のサッシ引き戸１２を開口部２と対向させると共に隣接するサッシ引き戸１２の端部同士を重複させることで複数のサッシ引き戸１２により開口部２を閉じることができ、この複数のサッシ引き戸１２により開口部２を閉じた状態では通気はできないが開口部２の全体から採光ができる状態となる。このように、開口部２を全開して開口部２全体から採光、通風したり、あるいは全閉状態で通風はできないが開口部２全体から採光のみができるようにした窓装置において、建物の外壁１の上記開口部２及び戸袋部９に対向する上下レール枠３、４と左右の縦枠６、７とで囲まれた部分をサッシ引き戸１２よりも屋外側において遮蔽自在とする防火シャッタ装置１３を設けてあるので、防火シャッタ装置１３により開口部２及び戸袋部９に対向する上下レール枠３、４と左右の縦枠６、７とで囲まれた部分を閉じることで、防火構造の窓装置とすることができるものである。
【００１２】
また、本発明の防火シャッタ装置は、建物の外壁１の屋外側に外壁１の開口部２の上縁部及び下縁部に沿って上下レール枠３、４を設けると共に、上下レール枠３、４の端部をそれぞれ開口部２の側端部より離れる方向に外壁１に沿って連出させ、左右の縦枠６、７の上下両端部を上下レール枠３、４の両端部に連結し、上下レール枠３、４にそれぞれ複数のサッシ走行レール５を上下レール枠３、４の長手方向に亘って設け、開口部２の側端部より離れる方向に外壁１に沿って連出した各サッシ走行レール５の連出部分をそれぞれサッシ収納用レール８としてこのサッシ収納用レール８を設けた部分を戸袋部９とし、各サッシ走行レール５にそれぞれサッシ枠１０にガラス板のような透光板１１を取付けたサッシ引き戸１２をそれぞれ走行自在に取付け、各サッシ引き戸１２を開口部２と対向するように引き出して複数のサッシ引き戸１２により開口部２を閉じ且つ各サッシ引き戸１２を戸袋部９に移動させた状態で開口部２を全開させるように構成した全開口サッシ引き戸１２の屋外側に設置される防火シャッタ装置１３であって、該防火シャッタ装置１３は、巻き取り自在なシャッタ１４と、上レール枠３と略同じ長さであって上レール枠３の直上において外壁１に固着されるシャッタ収納ボックス３１と、シャッタ１４の左右両端部を昇降案内し左右の縦枠６、７の近傍に固着される左右の縦レール部３２と、下レール枠４の近傍に固着される下枠部３３とで構成され、建物の外壁１の上記開口部２及び戸袋部９をサッシ引き戸１２よりも屋外側において遮蔽自在とすることを特徴とするものである。
【００１３】
このような構成とすることで、シャッタ１４により開口部２だけでなく戸袋部９も閉じることができて、遮光、防犯、防火が確実にできる全開口サッシ引き戸１２の窓装置に使用する防火シャッタ装置１３を提供できる。
【発明の効果】
【００１４】
本発明は、複数のサッシ引き戸を閉じて各サッシ走行レールの端部のサッシ収納用レールに収納すると開口部を全開することができ、室内の開放感、通気量、視野を高めるとともに大きな荷物の出し入れに当たってもサッシ引き戸に邪魔されることなく出し入れできるものであり、また、各サッシ収納用レールからそれぞれサッシ引き戸を引き出して複数のサッシ引き戸により開口部を閉じることができ、サッシ引き戸により開口部を閉じた状態では通気はできないが採光ができる状態とすることができるものであり、しかも、このように、開口部を全開することができる窓装置において簡単な構成で防火構造にできるものである。
【００１５】
また、上記のように開口部を全開することができる窓装置を、簡単な構成で防火構造とすることができる防火シャッタ装置を提供できる。
【発明を実施するための最良の形態】
【００１６】
以下、本発明を添付図面に示す実施形態に基づいて説明する。
【００１７】
添付図面には本発明の一実施形態が示してある。建物の外壁１には開口部２が形成してあり、外壁１には窓枠１７が取付けてある。この窓枠１７は全部又は一部が外壁１の外面側に位置するように取付けてあり、窓枠１７の外壁１の外面側に位置する部分は、大別して開口部２に対応した開口部側窓枠部１８と、開口部２の一側端部よりも側方にずれ且つ外壁１の外面に沿った戸袋側枠部１９とに区分けされる。窓枠１７は左右両縦枠６、７と上レール枠３、下レール枠４を矩形状に枠組みして構成してある。この窓枠１７は金属製であって防火性を有している。
【００１８】
上レール枠３と下レール枠４とにはそれぞれ開口部２の上縁部及び下縁部に沿った複数列のサッシ走行レール５が設けてあり、各サッシ走行レール５の端部はそれぞれ開口部２の側端部より離れる方向に外壁１に沿って連出していて各連出部分がそれぞれサッシ収納用レール８となっている。つまり、サッシ収納用レール８は上レール枠３、下レール枠４の戸袋側枠部１９に設けてあり、この戸袋側枠部１９部分が戸袋部９となっている。
【００１９】
窓枠１７には上記上下レール枠３、４よりも室内側において上レール枠３、下レール枠４間に開口縦枠部２２が形成してある。
【００２０】
図１に示すように、窓枠１７の一方の縦枠６の室内側の部分及び開口縦枠部２２を開口部２の両側部の屋外側における出隅部分に配設して取付けてある。また、上レール枠３、下レール枠４の開口部２に対応する部分は図２に示すように室内側に向けて取付け部が突設してあり、この取付け部を開口部２の上下の屋外側における出隅部分に配設して取付けてある。また、窓枠１７の他方の縦枠７は外壁１の外面に固着してある。
【００２１】
端部がサッシ収納用レール８となった複数列のサッシ走行レール５にはそれぞれサッシ枠１０にガラス板のような透光板１１を取付けたサッシ引き戸１２をそれぞれ走行自在に取付けてある。添付図面に示す実施形態においては２重ガラスの例を示しているが、１重であってもよいものである。また、透光板１１としては透明、半透明、不透明のいずれであってもよいが、透光性は有しているものが用いられ、室内に外光を取り入れることができるようになっている。
【００２２】
また、添付図面に示す実施形態においては屋内外方向に２列に並設した２本のサッシ走行レール５にそれぞれ１枚ずつ合計２枚のサッシ引き戸１２を走行自在とした例が示してあるが、サッシ走行レール５の数、サッシ引き戸１２の数は上記のものにのみ限定されず、要は各サッシ引き戸１２を開口部２と対向するように引き出すと共に隣接するサッシ引き戸１２の端部同士を重複させた状態で複数のサッシ引き戸１２により開口部２を閉じることができ、また、各サッシ引き戸１２をサッシ収納用レール８に移動させた状態で開口部２を全開させることができるものであれば、サッシ走行レール５の数、サッシ引き戸１２の数は特に限定されるものではない。
【００２３】
各サッシ引き戸１２を開口部２と対向するように引き出すと共に隣接するサッシ引き戸１２の端部（つまりサッシ枠１０の縦枠１０ａ部分）同士を重複させて複数のサッシ引き戸１２により開口部２を閉じた状態で、開口部２に対向した複数のサッシ引き戸１２のうち室内側から見て最も手前に位置するサッシ引き戸１２を最もサッシ収納用レール８側にずれて位置させ、室内側から見て最も手前に位置するサッシ引き戸１２のサッシ収納用レール８側の縦枠１０ａと、開口部２のサッシ収納用レール８側の開口縦枠部２２との水密を止水手段２５により保持するようになっている。また、各サッシ引き戸１２を開口部２と対向するように引き出すと共に隣接するサッシ引き戸１２の端部同士を重複させた状態で複数のサッシ引き戸１２により開口部２を閉じた状態で、隣接するサッシ引き戸１２の端部同士の重複部分におい止水手段２５により重複部分における水密性を確保するようになっている。
【００２４】
上記の構成の窓装置は複数のサッシ引き戸１２を閉じて各サッシ走行レール５の端部のサッシ収納用レール８に収納することで、開口部２にサッシ引き戸１２が殆ど位置しないように開口部２を全開することができ、また、各サッシ収納用レール８からそれぞれサッシ引き戸１２を引き出して複数のサッシ引き戸１２を開口部２と対向させると共に隣接するサッシ引き戸１２の端部（サッシ枠１０の端部の縦枠１０ａ）同士を重複させることで複数のサッシ引き戸１２により開口部２を閉じることができるものである。そして、サッシ引き戸１２により開口部２を閉じた状態では通気はできないが採光ができる状態となる。
【００２５】
また、開口部２を全巾にわたって開放した全開状態において、開口部２の全巾にわたって室内と外部とを連通状態にできる。この場合は、室内から屋外、屋外から室内に荷物の出し入れをしたり、人が出入したりするに当たって、広い開口を利用して容易にできる。図２中符号４３は室内の床である。
【００２６】
上記のような構成の窓装置において、本発明においては、建物の外壁１の上記開口部２及び戸袋部９に対向する上下レール枠３、４と左右の縦枠６、７とで囲まれた部分をサッシ引き戸１２よりも屋外側において遮蔽自在とする防火シャッタ装置１３を設けてある。
【００２７】
防火シャッタ装置１３は、シャッタ１４を巻き取り自在とするドラム３０と該ドラム３０を回転するモータ２０を収納したシャッタ収納ボックス３１と、左右の縦レール部３２と、下枠部３３とで構成してある。シャッタ収納ボックス３１は金属製で防火性を有している。このシャッタ収納ボックス３１は上レール枠３とほぼ同じ長さであり、シャッタ収納ボックス３１の後面部を図２、図３に示すように上レール枠３の直上において外壁１に固着してある。該左右の縦レール部３２はシャッタ収納ボックス３１の下面のシャッタ出入れ部の長手方向の両端部から下方に垂設してあり、該左右の縦レール部３２は左右の縦枠６、７の開口部２と反対側の屋外側外面に上下に沿って固着してあり、下枠部３３は左右の縦レール部３２の下端部に固着すると共に下レール枠４の開口部２と反対側の屋外側外面に固着してある。図に示す実施形態では、左右の縦レール部３２は左右の縦枠６、７の開口部２と反対側の屋外側外面に上下に沿って固着してあるが、左右の縦レール部３２は左右の縦枠６、７近傍であれば、縦枠６、７に固着せずに直接外壁１に固着することも可能である。同様に、下枠部３３も下レール枠４の開口部２と反対側の屋外側外面に固着してあるが、下レール枠４の近傍であれば、下レール枠４に固着せずに直接外壁１に固着することも可能である。上記左右の縦レール部３２、下枠部３３は金属製であって防火性を有しており、左右の縦レール部３２の対向面に上下全長にわたって断面コ字状をし且つ上端部が上方に開口したレール溝部３２ａが設けてある。
【００２８】
シャッタ１４は金属製で防火性を有したものであり、複数のシャッタ板１４ａを軸支部分で回動自在に連結して構成してあり、ドラム３０にシャッタ１４を巻き取った状態で、最下端に位置するシャッタ板１４ａの両端部が図１のように左右の縦レール部３２のレール溝部３２ａの上端部内に位置している。この状態で左右両縦枠６、７と上レール枠３、下レール枠４に囲まれた部分が全開状態となり、したがって、開口部２も全開状態となっている。
【００２９】
この状態でドラム３０を一方向に回転することで、ドラム３０に巻き取ったシャッタ１４の両端部が左右の縦レール部３２のレール溝部３２ａに嵌め込まれて該左右の縦レール部３２に沿って移動することでシャッタ１４が下方に引き下ろされ、シャッタ１４の下端部が下枠部３３の上面に当接することで、左右両縦枠６、７と上レール枠３、下レール枠４に囲まれた部分がシャッタ１４により全閉される。これにより、外光が開口部２から屋内に入らないようにできるだけでなく、このシャッタ１４により全閉した状態で屋外と屋内とが防火性を有するシャッタ１４により仕切られ、更にシャッタ１４の周囲と外壁１との間が、左右の縦レール部３２を設けた左右両縦枠６、７とシャッタ収納ボックス３１を真上に設けた上レール枠３、下枠部３３を設けた下レール枠４で屋内外が完全に遮蔽され、防火シャッタ装置１３により屋内外が防火的に遮断された構造、つまり、防火構造となる。
【００３０】
なお、添付図面に示す実施形態においては、上下レール枠３、４のサッシ走行レール５及びこれに連続するサッシ収納用レール８の外側に、複数の網戸走行レール４０及びこれに連続する網戸収納用レール４１を設けて網戸収納用レール４１を戸袋部に位置させている。この実施形態によれば、各網戸走行レール４０にそれぞれ網戸４２を走行自在に取付け、網戸４２で開口部２を全閉状態としたり、あるいは各網戸４２を網戸収納用レール４１に移動させることで開口部２を全開状態としたりできる。そして、シャッタ１４を全開状態とすると共に、サッシ引き戸１２を全開にした状態で、網戸４２で開口部２を全閉状態とすることができ、この場合には開口部２の全体から防虫を図りながら通気ができることになる。
【００３１】
なお、上記実施形態では、建物の外壁１の屋外側に外壁１の開口部２の上縁部及び下縁部に沿って上下レール枠３、４を設けると共に、上下レール枠３、４の一方の端部を開口部２の一側端部より離れる方向に外壁１に沿って連出させた例を示したが、本発明においては、上下レール枠３、４の両端部をそれぞれ開口部２の側端部より離れる方向に外壁１に沿って連出させて上下レール枠３、４の両端部にそれぞれ戸袋部を設け、一方の戸袋部の一方のサッシ収納用レール８に開口部２の片側半分を閉じることができる複数のサッシ引き戸１２を収納自在とし、また、他方の戸袋部のサッシ収納用レール８に開口部２の他の片側半分を閉じることができる複数のサッシ引き戸１２を収納自在としてもよい。
【００３２】
もちろん、この実施形態の場合も、建物の外壁１の上記開口部２及び左右両戸袋部９に対向する上下レール枠３、４と左右の縦枠６、７とで囲まれた部分をサッシ引き戸１２よりも屋外側において遮蔽自在とする防火シャッタ装置１３を設けるものである。
【図面の簡単な説明】
【００３３】
【図１】本発明の一実施形態の平断面図である。
【図２】同上の開口部における縦断面図である。
【図３】同上の戸袋部における縦断面図である。
【図４】同上のシャッタを下方に引き下げている途中の状態の正面図である。
【符号の説明】
【００３４】
１  外壁
２  開口部
３  上レール枠
４  下レール枠
５  サッシ走行レール
６  縦枠
７  縦枠
８  サッシ収納用レール
９  戸袋部
１０  サッシ枠
１１  透光板
１２  サッシ引き戸
１３  防火シャッタ装置
【図１】
2006336362.tif 000003
【図２】
2006336362.tif 000004
【図３】
2006336362.tif 000005
【図４】
2006336362.tif 000006